Podtech/llm-jp-corpus-v4-ja_patent huggingface dataset:
【手続補正書】
【提出日】平成26年12月18日(2014.12.18)
【手続補正１】
【補正対象書類名】特許請求の範囲
【補正対象項目名】全文
【補正方法】変更
【補正の内容】
【特許請求の範囲】
【請求項１】
組成物の総重量の約０．０１％〜約５％の量の過酸化物原料を含有する過酸化物成分;並びに、シリコーン接着剤を含有する疎水性成分；および歯の表面の粘着力促進剤を含有する接着系を含有する非水性オーラル・ケア組成物であって、該組成物が歯に適用されたときに、歯の表面で粘着性の、連続層を形成し、効果的量の前記過酸化物原料を歯面に届けるために、十分な粘性を有することを特徴とする非水溶オーラル・ケア組成物。
【請求項２】
前記過酸化物原料が過酸化水素；過酸化尿素、過炭酸ナトリウム、過ホウ酸ナトリウム;および、その二つ以上の組合せから選択される 請求項１記載の組成物。
【請求項３】
前記過酸化物成分が架橋ポリビニルピロリドンを更に含有する請求項１または請求項２記載の組成物。
【請求項４】
前記過酸化物原料が架橋ポリビニルピロリドンと錯体を形成する請求項３記載の組成物。
【請求項５】
前記過酸化物原料が過酸化水素である請求項１〜４いずれかに記載の組成物。
【請求項６】
前記歯表面接着促進剤がさらなる量の架橋ポリビニルピロリドンを含有する請求項１〜５いずれかに記載の組成物。
【請求項７】
前記架橋ポリビニルピロリドンのさらなる量が過酸化物原料と錯体を形成しない請求項６記載の組成物。
【請求項８】
前記過酸化物原料が組成物の重量の約０．０５％〜約０．１５％の量で存在する請求項１〜７いずれかに記載の組成物。
【請求項９】
前記過酸化物原料が組成物の重量の約０．０８％〜約０．１２％の量で存在する請求項１〜８いずれかに記載の組成物。
【請求項１０】
前記過酸化物原料は組成物の重量の約０．１％の量で存在する請求項１〜９いずれかに記載の組成物。
【請求項１１】
前記シリコーン接着剤が感圧シリコーン接着剤である請求項１〜１０いずれかに記載の組成物。
【請求項１２】
前記感圧性シリコーン接着剤がシリコーン樹脂をジヒドロキシポリジオルガノシロキサンで縮合することにより調製された共重合体である請求項１１記載の組成物。
【請求項１３】
前記ジヒドロキシポリジオルガノシロキサンがジヒドロキシポリジメチルシロキサンである請求項１２記載の組成物。  
【請求項１４】
前記シリコーン樹脂がシラノール含有シリコーン樹脂である請求項１１〜１３いずれかに記載の組成物。
【請求項１５】
前記疎水性成分がシリコーン油を更に含む請求項１１〜１４いずれかに記載の組成物。
【請求項１６】
前記シリコーン油がシロキサンポリマーを含有する請求項１５記載の組成物。
【請求項１７】
前記接着系がみつろう、鉱油、鉱物とポリエチレンのブレンド、ペトロラタム、流動パラフィンとブテン/エチレン/スチレン水添コポリマーとのブレンド、ポリエチレンワックス、ポリイソブテン、ポリビニルピロリドン/酢酸ビニルコポリマー；ポリアクリレート；セラック（ｓｈｅｌｌａｃ）；およびそれらの二つ以上の組合せから選択された有機材料を含有する請求項１〜１６記載の組成物。 
【請求項１８】
前記有機材料が鉱油を含有する請求項１７記載の組成物。
【請求項１９】
前記歯の表面の粘着力促進剤が組成物の重量の約１５％〜約２５％の量で存在する請求項１〜１８いずれかに記載の組成物。 
【請求項２０】
前記歯の表面の粘着力促進剤が組成物の重量の約１６％〜約２０％の量で存在する請求項１〜１９いずれかに記載の組成物。
【請求項２１】
前記歯の表面の粘着力促進剤が組成物の重量の約１８％の濃度で存在する請求項１〜２０いずれかに記載の組成物。
【請求項２２】
哺乳類の歯に適用される請求項１〜２１いずれかに記載の組成物。
【請求項２３】
ペンを用いて適用される請求項１〜２２いずれかに記載の組成物。 
【請求項２４】
複数分の間歯の表面に保持される請求項１〜２３いずれかに記載の組成物。
【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
トリ病原体の少なくとも1つの抗原をコードし発現する1つ以上の異種ポリヌクレオチドを含む1つ以上の組換えガリドヘルペスウイルス-3（MDV-2）ベクターを含む組成物若しくはワクチン、又は変異糖タンパク質C（gC）遺伝子を含む1つ以上の組換えガリドヘルペスウイルス-3（MDV-2）ベクターを含む組成物若しくはワクチン。
【請求項２】
トリ病原体の少なくとも1つの抗原をコードし発現する異種ポリヌクレオチドを含む、組換えHVTベクター（又はMDV-3又はメレアグリドヘルペスウイルス-1）、野生型HVT（MDV-3）、トリ病原体の少なくとも1つの抗原をコードし発現する異種ポリヌクレオチドを含む組換えMDV-1ベクター（又はガリドヘルペスウイルス-2）、野生型MDV-1、及びそれらの組合せから成る群から選択される1つ以上の組成物又はワクチンをさらに含む、請求項１に記載の組成物。
【請求項３】
ガリドヘルペスウイルス3中の異種ポリヌクレオチドが、該ガリドヘルペスウイルス3ベクターの固有の長（UL）領域内のORF UL55とORF LORF5との間、ORF SORF4とORF US10との間、またはORF SORF4とORF US2との間の領域に挿入される、請求項１または２記載の組成物又はワクチン。
【請求項４】
ガリドヘルペス3中の異種ポリヌクレオチドが、ガリドヘルペスウイルス3糖タンパク質C（UL44）に挿入されているか、又は前記糖タンパク質Cと入れ替えるために挿入されている、請求項１〜３のいずれか１項記載の組成物又はワクチン。
【請求項５】
いずれかの組換えベクター中の異種ポリヌクレオチドが、ニューカッスル病ウイルスF（NDV-F）、伝染性ファブリキウス嚢病ウイルス（IBDV）VP2、伝染性喉頭気管炎ウイルス（ILTV）gB、ILTV gD、ILTV gIおよびインフルエンザヘマグルチニン（HA）からなる群より選ばれる遺伝子と一致する、請求項１〜４のいずれか１項記載の組成物又はワクチン。
【請求項６】
組換えガリドヘルペスウイルス3ベクターが極初期CMVプロモーター、マウスCMVプロモーター、モルモットCMVプロモーター、SV40プロモーター、偽狂犬病ウイルス糖タンパク質Xプロモーター、単純ヘルペスウイルス-1アルファ4プロモーター、マレック病ウイルス糖タンパク質Cプロモーター、マレック病ウイルス糖タンパク質Bプロモーター、マレック病ウイルス糖タンパク質Eプロモーター、伝染性喉頭気管炎ウイルス糖タンパク質Bプロモーター、伝染性喉頭気管炎ウイルス糖タンパク質Eプロモーター、伝染性喉頭気管炎ウイルス糖タンパク質Dプロモーター、伝染性喉頭気管炎ウイルス糖タンパク質Iプロモーター、およびウシヘルペスウイルス1.1 VP8プロモーターから選ばれるプロモーターを含む、請求項１〜５のいずれか１項に記載の組成物又はワクチン。
【請求項７】
さらに医薬的に又は獣医的に許容できる担体、賦形剤、ビヒクル又はアジュバントを含む、請求項１〜６のいずれか１項記載の組成物又はワクチン。
【請求項８】
トリ病原体の少なくとも1つの抗原をコードし発現する1つ以上の異種ポリヌクレオチドを含む組換えガリドヘルペスウイルス-3（MDV-2）ベクター又は変異gC遺伝子を含む組換えガリドヘルペスウイルス-3（MDV-2）ベクター。
【請求項９】
いずれかの組換えベクター中の異種ポリヌクレオチドが、ニューカッスル病ウイルスF（NDV-F）、伝染性ファブリキウス嚢病ウイルス（IBDV）VP2、伝染性喉頭気管炎ウイルス（ILTV）gB、ILTV gD、ILTV gIおよびインフルエンザヘマグルチニン（HA）からなる群より選ばれる遺伝子と一致する、請求項８に記載の組換えガリドヘルペスウイルス-3ベクター。
【請求項１０】
該組換えガリドヘルペスウイルス3ベクターが、極初期CMVプロモーター、モルモットCMVプロモーター、SV40プロモーター、偽狂犬病ウイルス糖タンパク質Xプロモーター、単純ヘルペスウイルス-1アルファ4プロモーター、マレック病ウイルス糖タンパク質CMVプロモーター、SV40プロモーター、偽狂犬病ウイルス糖タンパク質Xプロモーター、単純ヘルペスウイルス-1アルファ4プロモーター、マレック病ウイルス糖タンパク質A（またはgC）プロモーター、マレック病ウイルス糖タンパク質Bプロモーター、マレック病ウイルス糖タンパク質Eプロモーター、伝染性喉頭気管炎ウイルス糖タンパク質Bプロモーター、伝染性喉頭気管炎ウイルス糖タンパク質Eプロモーター、伝染性喉頭気管炎ウイルス糖タンパク質Dプロモーター、伝染性喉頭気管炎ウイルス糖タンパク質Iプロモーター、またはウシヘルペスウイルス1.1 VP8プロモーターからなる群より選ばれるプロモーターを含む、請求項８または９に記載の組換えガリドヘルペスウイルス3ベクター。
【請求項１１】
請求項１〜１０のいずれか１項に記載の組成物又はベクターの少なくとも1回の投与を含む、非ヒト動物をワクチン免疫する方法。
【請求項１２】
プライム-ブースト投与スケジュールを含む、請求項１１に記載の方法。
【請求項１３】
請求項１〜１０のいずれか１項に記載の組成物又はベクターの少なくとも1回の投与を含む、1つ以上のトリ病原体に対して非ヒト動物で免疫形成応答又は防御応答を誘発する方法。
【請求項１４】
動物がトリである、請求項１１または１３に記載の方法。
【請求項１５】
SB-1ゲノムの非必須領域に1つ以上の単離異種ポリヌクレオチドを導入する工程を含む、組換えSB-1ウイルスベクターを製造する方法。
【請求項１６】
異種ポリヌクレオチドが、固有の長（UL）領域若しくは固有の短（US）領域、ORF SORF4とORF US10との間、またはORF SORF4とORF US2との間、糖タンパク質C(UL44)をコードする領域、に挿入されるか、又はSB-1糖タンパク質C遺伝子（UL44）と入れ替えるために挿入される、請求項１５に記載の方法。
【手続補正書】
【提出日】平成27年10月15日(2015.10.15)
【手続補正１】
【補正対象書類名】特許請求の範囲
【補正対象項目名】全文
【補正方法】変更
【補正の内容】
【特許請求の範囲】
【請求項１】
（Ｓ）２−Ｎ（３−Ｏ−（（Ｓ）プロパン２−オール）−１−プロピル−４−ヒドロキシベンゼン）−３−フェニルプロピルアミドの特定の立体化学を有する式ＩＩ
【化１】
2015500831.tif 000001
の化合物であって、実質的に純粋な形態である化合物、またはその薬学的に許容される塩もしくは水和物。
【請求項２】
前記実質的に純粋な形態は、少なくとも９０％の（Ｓ）２−Ｎ（３−Ｏ−（（Ｓ）プロパン２−オール）−１−プロピル−４−ヒドロキシベンゼン）−３−フェニルプロピルアミドおよび１０％未満の前記化合物の他の立体異性体型を含む、請求項１に記載の化合物。
【請求項３】
前記実質的に純粋な形態は、少なくとも９５％の（Ｓ）２−Ｎ（３−Ｏ−（（Ｓ）プロパン２−オール）−１−プロピル−４−ヒドロキシベンゼン）−３−フェニルプロピルアミドおよび５％未満の前記化合物の他の立体異性体型を含む、請求項１に記載の化合物。
【請求項４】
前記実質的に純粋な形態は、少なくとも９８％の（Ｓ）２−Ｎ（３−Ｏ−（（Ｓ）プロパン２−オール）−１−プロピル−４−ヒドロキシベンゼン）−３−フェニルプロピルアミドおよび２％未満の前記化合物の他の立体異性体型を含む、請求項１に記載の化合物。
【請求項５】
疼痛の治療または予防において使用するための、請求項１に記載の化合物。
【請求項６】
急性疼痛または慢性疼痛の治療において使用するための、請求項１に記載の化合物。
【請求項７】
神経障害性疼痛または侵害受容性疼痛の治療において使用するための、請求項１に記載の化合物。
【請求項８】
治療的有効量の請求項１に記載の化合物またはその薬学的に許容される塩もしくは水和物と、薬学的に許容される担体または希釈剤と、を含む医薬組成物。
【請求項９】
前記組成物は単位剤形として製剤化される、請求項８に記載の医薬組成物。
【請求項１０】
前記組成物は経口投与用に製剤化される、請求項８に記載の医薬組成物。
【請求項１１】
前記組成物は、０．１〜約５００ｍｇの請求項１に記載の化合物またはその薬学的に許容される塩もしくは水和物を含む単位剤形として製剤化される、請求項８に記載の医薬組成物。
【請求項１２】
疼痛の治療または予防において使用するための、請求項８に記載の医薬組成物。
【請求項１３】
前記疼痛は急性疼痛および慢性疼痛から選択される、請求項１２に記載の医薬組成物。
【請求項１４】
前記疼痛は侵害受容性疼痛または神経障害性疼痛である、請求項１２に記載の医薬組成物。
【請求項１５】
前記神経障害性疼痛は、帯状疱疹後神経痛、三叉神経痛、糖尿病性神経痛、癌性疼痛、持続性術後または外傷後疼痛、痛覚過敏、アロディニア、開胸術後疼痛、ＣＲＰＳ、多発性硬化症と関連する疼痛、ＡＩＤＳ、視床痛、ミエロパチーにより引き起こされる対麻痺疼痛、有痛知覚麻痺および幻肢痛における神経障害性疼痛から選択される少なくとも１つの症状である、請求項１４に記載の医薬組成物。
【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
ＥｓｘＡ抗原、ＥｓｘＢ抗原および安定化添加物を含む免疫原性組成物であって、前記組成物のｐＨは、５−６．５である、組成物。
【請求項２】
Ｓｔａ００６抗原、Ｓｔａ０１１抗原および／またはＨｌａ抗原をさらに含む、請求項１の免疫原性組成物。
【請求項３】
前記ＥｓｘＡ抗原および前記ＥｓｘＢ抗原は、ハイブリッドポリペプチドを形成するように連結される、請求項１または請求項２の免疫原性組成物。
【請求項４】
（ｉ）ＥｓｘＡ抗原およびＥｓｘＢ抗原を含む融合タンパク質、並びに（ｉｉ）安定化添加物を含む免疫原性組成物。
【請求項５】
前記安定化添加物は、ＥＤＴＡである、請求項１−４のいずれか１項の免疫原性組成物。
【請求項６】
アジュバント（たとえば、水酸化アルミニウムアジュバント）および／またはサッカライド（たとえば、スクロース）をさらに含む、請求項１−５のいずれか１項の免疫原性組成物。
【請求項７】
凍結乾燥形態の、請求項１−６のいずれか１項の免疫原性組成物。
【請求項８】
水溶液形態の、請求項１−６いずれか１項の免疫原性組成物。
【請求項９】
請求項７の組成物を水性材料で再構成することによって請求項８の組成物を調製するための方法。
【請求項１０】
哺乳動物における免疫応答を高めるための、請求項１−８のいずれか１項の組成物。
【手続補正２】
【補正対象書類名】明細書
【補正対象項目名】０１４９
【補正方法】変更
【補正の内容】
【０１４９】
２つの配列アミノ酸の間の配列同一性に関し、整列したときに、２つの配列を比較する際にアミノ酸のパーセンテージが同じであることを意味する。この整列およびパーセント相同性または配列同一性は、当該技術分野において公知のソフトウェアプログラム（たとえば、参照文献６６の７．７．１８に記述されたもの）を使用して決定することができる。好ましい整列は、１２のギャップオープンペナルティおよび２のギャップエクステンションペナルティ、６２のＢＬＯＳＵＭマトリックスでアフィンギャップ検索を使用するＳｍｉｔｈ−Ｗａｔｅｒｍａｎ相同性検索アルゴリズムによって決定される。Ｓｍｉｔｈ−Ｗａｔｅｒｍａｎ相同性検索アルゴリズムは、参照文献６７に開示されている。
本発明は、例えば、以下の項目も提供する。
（項目１）
ＥｓｘＡ抗原、ＥｓｘＢ抗原および安定化添加物を含む免疫原性組成物であって、前記組成物のｐＨは、５−６．５である、組成物。
（項目２）
Ｓｔａ００６抗原、Ｓｔａ０１１抗原および／またはＨｌａ抗原をさらに含む、項目１の免疫原性組成物。
（項目３）
前記ＥｓｘＡ抗原および前記ＥｓｘＢ抗原は、ハイブリッドポリペプチドを形成するように連結される、項目１または項目２の免疫原性組成物。
（項目４）
（ｉ）ＥｓｘＡ抗原およびＥｓｘＢ抗原を含む融合タンパク質、並びに（ｉｉ）安定化添加物を含む免疫原性組成物。
（項目５）
前記安定化添加物は、ＥＤＴＡである、前述の項目のいずれか１項の免疫原性組成物。
（項目６）
アジュバント（たとえば、水酸化アルミニウムアジュバント）および／またはサッカライド（たとえば、スクロース）をさらに含む、前述の項目のいずれか１項の免疫原性組成物。
（項目７）
凍結乾燥形態の、前述の項目のいずれか１項の免疫原性組成物。
（項目８）
水溶液形態の、項目１−６いずれか１項の免疫原性組成物。
（項目９）
項目７の組成物を水性材料で再構成することによって項目８の組成物を調製するための方法。
（項目１０）
ＥＤＴＡおよび１つまたは複数のポリペプチドを含む凍結乾燥物。
（項目１１）
ホモ二量体形態のＳｔａ００６ポリペプチド。
（項目１２）
ヘテロ二量体形態のＳｔａ００６およびＳｔａ０１１ポリペプチド。
（項目１３）
ホモ二量体形態のＥｓｘＡＢハイブリッドポリペプチド。
（項目１４）
項目１１−１３いずれか１項の二量体を含む免疫原性組成物。
（項目１５）
哺乳動物にいずれかの前述の項目のポリペプチドまたは組成物の有効量を投与する工程を含む、哺乳動物における免疫応答を高めるための方法。
【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
表面の向上した引掻き抵抗性、改良された寸法精度、および表面の改良された光沢を有する成形品の製造方法であって、
ａ）熱可塑性の組成物の顆粒を調製するために、下記成分Ａ）〜Ｅ）を含有する組成物を配合すること、
Ａ）３０．０〜１００．０重量部の少なくとも１種の芳香族ポリカーボネート、
Ｂ）０．０重量部〜５０．０重量部のゴム変性グラフトポリマーおよび／またはビニルコポリマー、
Ｃ）０．００〜５０．００重量部のポリエステル、
Ｄ）５．０〜５０．０重量部の、球状の粒形を有する少なくとも１種の無機充填剤であって、石英である充填剤、
Ｅ）０．００〜５．００重量部のさらなる常套のポリマー添加剤、
（成分Ａ）〜Ｅ）の重量部の合計は１００重量部である
ｂ）動的金型温度制御を用いて、このようにして調製した顆粒から成形品を射出成形する工程、を含む製造方法。
【請求項２】
前記熱可塑性の組成物が、下記量の成分Ａ）〜Ｅ）を含有する、請求項１に記載の方法。
Ａ）５０．０〜８５．０重量部の少なくとも１種の芳香族ポリカーボネート、
Ｂ）０．０重量部〜２０．０重量部のゴム変性グラフトポリマーおよび／またはビニルコポリマー、
Ｃ）１０．００〜２５．００重量部のポリエステル、
Ｄ）１５５．０〜３０．０重量部の、球状の粒形を有する少なくとも１種の無機充填剤であって、石英である充填剤、
Ｅ）０．７５〜１．２５重量部のさらなる常套のポリマー添加剤
【請求項３】
表面の金属化がさらなる工程として続くことを特徴とする、請求項１または２に記載の方法。
【請求項４】
成形品の表面が、プラズマ源にて、４０ｋＨｚの交流周波数および１０００Ｖよりも高い電圧でプラズマ前処理に曝されることを特徴とする、請求項１〜３のいずれか一項に記載の方法。
【請求項５】
金属がアルミニウムであることを特徴とする、請求項３または４に記載の方法。
【請求項６】
さらなる腐食防止層を、プラズマ重合を用いて施すことを特徴とする、請求項３または４に記載の方法。
【請求項７】
前記石英が、０．１〜１０μｍの平均直径ｄ５０％を有することを特徴とする、請求項１または２に記載の方法。
【請求項８】
請求項１に記載の方法により得られる成形品。
【請求項９】
真空において金属化されてなる、請求項８に記載の成形品。
【手続補正書】
【提出日】平成27年7月8日(2015.7.8)
【手続補正１】
【補正対象書類名】明細書
【補正対象項目名】００１２
【補正方法】変更
【補正の内容】
【００１２】
本発明のまた別の課題は、繊維を含むポリマーマトリックスを含む材料から製造されるぜんまいを提供する工程、
該ぜんまいを、ポリマーを含む組成物で塗工する工程、
該ぜんまいを塗工する組成物の厚さを均一にする工程、及び
塗膜を形成するために該組成物を重合する工程、
を含む、上記のぜんまいを製造する方法を提供することを含む。
【手続補正２】
【補正対象書類名】特許請求の範囲
【補正対象項目名】請求項１０
【補正方法】変更
【補正の内容】
【請求項１０】
繊維を含むポリマーマトリックスを含む材料から製造されるぜんまいを提供する工程、  該ぜんまいを、ポリマーを含む組成物で塗工する工程、
該ぜんまいを塗工する組成物の厚さを均一にする工程、及び
塗膜を形成するために該組成物を重合する工程、
を含む、繊維を含有するポリマーマトリックスを含む材料から製造されるぜんまいを製造する方法であって、該ぜんまいは、９０℃において２０分超のゲル化時間を有するエポキシ樹脂を含有するコーティング材を含む、上記の方法。
【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
第1のユーザ機器(UE)中継ノードにおいて、UEを検出するステップと、
前記UEを検出することに応答して、アクティブな第2のUE中継ノードが存在するかどうかを判断するステップと、
前記UEが検出されたとき、かつ前記アクティブな第2のUE中継ノードが存在しないとき、前記第1のUE中継ノードにおいて、休止状態からアクティブ状態へのアクセスリンクの遷移を制御するステップと、
前記遷移に応答して前記第1のUE中継ノードにおいて、少なくとも、ネットワークタイミングのデューティサイクルおよび周波数トラッキングを低減するステップと、基地局への低電力ノードのアクセス機会のデューティサイクルを低減するステップと、またはこれらの組み合わせによって、バックホールリンクに対する休止状態に入るために、前記バックホールリンク上の接続を管理するステップであって、前記バックホールリンク上の前記接続は、トリガイベントに基づいて、前記基地局にアクセスするとともにシグナリングおよびデータ無線ベアラを確立することによって、アクティブ状態に遷移する、ステップとを含む、ワイヤレス通信の方法。
【請求項２】
前記バックホールリンク上の前記接続が、前記バックホールリンクへの要求されたアクセスに応答して管理される、請求項1に記載の方法。
【請求項３】
前記アクティブな第2のUE中継ノードが存在するとき、前記アクセスリンクは前記休止状態に留まる、請求項1に記載の方法。
【請求項４】
前記休止状態が、UE中継ノード広告のデューティサイクルの低減、UEアクセス機会のデューティサイクルの低減、またはこれらの組み合わせを少なくとも備える、請求項1に記載の方法。
【請求項５】
前記アクティブ状態が、UE中継ノード広告の前記デューティサイクルの増加、UEアクセス機会の前記デューティサイクルの増加、またはこれらの組み合わせを少なくとも備える、請求項4に記載の方法。
【請求項６】
前記UEを検出するステップが、ランダムアクセスチャネル(RACH)メッセージ、サウンディング基準信号(SRS)、シグネチャシーケンス、またはこれらの組み合わせを少なくとも受信するステップを備える、請求項1に記載の方法。
【請求項７】
ワイヤレス通信のための第1のユーザ機器(UE)中継ノードであって、
メモリと、
前記メモリに接続された少なくとも1つのプロセッサとを備え、前記少なくとも1つのプロセッサが、
UEを検出することと、
前記UEを検出することに応答して、アクティブな第2のUE中継ノードが存在するかどうかを判断することと、
前記UEが検出されたとき、かつ前記アクティブな第2のUE中継ノードが存在しないとき、休止状態からアクティブ状態へのアクセスリンクの遷移を制御することと、
前記遷移に応答して、少なくとも、ネットワークタイミングのデューティサイクルおよび周波数トラッキングを低減し、基地局への低電力ノードのアクセス機会のデューティサイクルを低減し、またはこれらの組み合わせによって、バックホールリンクに対する休止状態に入るために、前記バックホールリンク上の接続を管理することであって、前記バックホールリンク上の前記接続は、トリガイベントに基づいて、前記基地局にアクセスするとともにシグナリングおよびデータ無線ベアラを確立することによって、アクティブ状態に遷移する、管理することとを行うように構成された、装置。
【請求項８】
前記バックホールリンク上の前記接続が、前記バックホールリンクへの要求されたアクセスに応答して管理される、請求項7に記載の第1のUE中継ノード。
【請求項９】
前記アクティブな第2のUE中継ノードが存在するとき、前記アクセスリンクは前記休止状態に留まる、請求項7に記載の第1のUE中継ノード。
【請求項１０】
前記休止状態が、UE中継ノード広告のデューティサイクルの低減、UEアクセス機会のデューティサイクルの低減、またはこれらの組み合わせを少なくとも備える、請求項7に記載の第1のUE中継ノード。
【請求項１１】
前記アクティブ状態が、UE中継ノード広告の前記デューティサイクルの増加、UEアクセス機会の前記デューティサイクルの増加、またはこれらの組み合わせを少なくとも備える、請求項10に記載の第1のUE中継ノード。
【請求項１２】
前記少なくとも1つのプロセッサがさらに、ランダムアクセスチャネル(RACH)メッセージ、サウンディング基準信号(SRS)、シグネチャシーケンス、またはこれらの組み合わせを少なくとも受信するように構成された、請求項7に記載の第1のUE中継ノード。
【請求項１３】
ワイヤレスネットワークにおけるワイヤレス通信のためのコンピュータプログラムであって、
非一時的プログラムコードが、
第1のユーザ機器(UE)中継ノードにおいて、UEを検出するためのプログラムコードと、
前記UEを検出することに応答して、アクティブな第2のUE中継ノードが存在するかどうかを判断するためのプログラムコードと、
前記UEが検出されたとき、かつ前記アクティブな第2のUE中継ノードが存在しないとき、前記第1のUE中継ノードにおいて、休止状態からアクティブ状態へのアクセスリンクの遷移を制御するためのプログラムコードと、
前記遷移に応答して前記第1のUE中継ノードにおいて、少なくとも、ネットワークタイミングのデューティサイクルおよび周波数トラッキングを低減し、基地局への低電力ノードのアクセス機会のデューティサイクルを低減し、またはこれらの組み合わせによって、バックホールリンクに対する休止状態に入るために、前記バックホールリンク上の接続を管理するためのプログラムコードであって、前記バックホールリンク上の前記接続は、トリガイベントに基づいて、前記基地局にアクセスするとともにシグナリングおよびデータ無線ベアラを確立することによって、アクティブ状態に遷移する、プログラムコードとを含む、コンピュータプログラム。
【請求項１４】
前記バックホールリンク上の前記接続が、前記バックホールリンクへの要求されたアクセスに応答して管理される、請求項13に記載のコンピュータプログラム。
【請求項１５】
前記アクティブな第2のUE中継ノードが存在するとき、前記アクセスリンクは前記休止状態に留まる、請求項13に記載のコンピュータプログラム。
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
ワインを含む充填アルミニウム容器であって、ワインが２．９〜３．５の間のｐＨを有し、そしてワインの充填容器が０．４〜０．８ｍｇ／Ｌの間の二酸化硫黄分子含量を有することを特徴とし、及び充填前にワインが多段精密ろ過処理において精密ろ過され、ここでろ過孔径が、第一段ろ過ハウジングにおいて１．０μｍ以下であり、そして少なくとも１つの後段ろ過ハウジングにおいて０．２０μｍ〜０．４５μｍであることをさらに特徴とする、前記容器。
【請求項２】
ヘッドスペースの最大酸素含量が１ｖ／ｖ％であり、そしてアルミニウム容器充填工程を通して溶存酸素レベルが０．５ｍｇ／Ｌ未満に維持される、請求項１に記載の充填アルミニウム容器。
【請求項３】
前記ワインの充填アルミニウム容器が０．６〜０．７ｍｇ／Ｌの間の二酸化硫黄分子含量を有する、請求項１又は２に記載の充填アルミニウム容器。
【請求項４】
前記ろ過孔径が第一段ろ過ハウジングにおいて約０．６０μｍであり、そして前記少なくとも１つの後段ろ過ハウジングにおいて０．３０μｍ〜０．４５μｍである、請求項１〜３のいずれか１項に記載の充填アルミニウム容器。
【請求項５】
前記ワインが炭酸ガスを注入される、請求項１〜４のいずれか１項に記載の充填アルミニウム容器。
【請求項６】
前記缶におけるヘッドスペースが窒素８０〜９７ｖ／ｖ％及び二酸化炭素２〜２０ｖ／ｖ％の組成を有し、そして好ましくは最終レベルの溶存ＣＯ2が、前記容器に充填前に、白ワインに関して５０ｐｐｍ〜８００ｐｐｍ及び赤ワインに関して５０ｐｐｍ〜４００ｐｐｍである、請求項１〜５のいずれか１項に記載の充填アルミニウム容器。
【請求項７】
アルコール含量が９ｖ／ｖ％未満であり、ここでソルビン酸が９０ｍｇ／Ｌ超のレベルで添加される、請求項１〜６のいずれか１項に記載の充填アルミニウム容器。
【請求項８】
アルミニウム容器にワインを充填する方法であって、前記ワインが２．９〜３．５の間のｐＨを有し、そしてワインの充填アルミニウム容器が０．４〜０．８ｍｇ／ｍＬの間の二酸化硫黄分子含量を有することを特徴とし、及び充填前に前記ワインが２段精密ろ過処理において精密ろ過され、ここで前記ろ過孔径が、第一段ろ過ハウジングにおいて１．０μｍ以下であり、そして少なくとも１つの後段ろ過ハウジングにおいて０．２０μｍ〜０．４５μｍであることをさらに特徴とする、前記方法。
【請求項９】
ろ過孔径が第一段ろ過ハウジングにおいて約０．６０μｍであり、そして少なくとも１つの後段ろ過ハウジングにおいて０．３０μｍ〜０．４５μｍである、請求項８に記載のアルミニウム容器にワインを充填する方法。
【請求項１０】
アルコール含量が９ｖ／ｖ％未満であり、ここでソルビン酸が９０ｍｇ／ｍＬ超のレベルで添加される、請求項８又は９に記載のアルミニウム容器にワインを充填する方法。
【請求項１１】
前記ワインが容器の充填直前又は充填時に精密ろ過される、請求項１〜７のいずれか１項に記載の充填アルミニウム容器。
【請求項１２】
前記ワインが容器の充填直前又は充填時に精密ろ過される、請求項８〜１０のいずれか１項に記載のアルミニウム容器にワインを充填する方法。
【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
ロータリー鋲を適用するためのタッカであって、
トリガアセンブリと、複数のロータリー鋲を保持する関節付アームとを備え、
前記トリガアセンブリに結合された駆動シャフトを備え、前記トリガアセンブリを操作することにより前記駆動シャフトが回転し、前記駆動シャフトの遠位部は、前記関節付きアームの中に入っており、前記トリガアセンブリを操作すると、前記駆動シャフトが回転して、前記ロータリー鋲が前記関節付きアームから外に出て遠位に配備され、
前記駆動シャフトは、ケーブルを備え、前記ケーブルには、複数の軸方向に間隔があいた駆動リンクが位置しており、各前記駆動リンクは、前記駆動シャフトの回転運動を前記ロータリー鋲のうちの一つの回転に移行させる、タッカ。
【請求項２】
前記駆動リンクは、前記ケーブル上に成形される、請求項１に記載のタッカ。
【請求項３】
前記駆動リンクは、前記ケーブル上に接合される、請求項１に記載のタッカ。
【請求項４】
前記駆動リンクは、前記ロータリー鋲の内側輪郭と一致する外側輪郭を有する、請求項１に記載のタッカ。
【請求項５】
前記外側輪郭は、前記ロータリー鋲の内側輪郭における対応して形成されたアパーチャと一致するカム面を備える、請求項４に記載のタッカ。
【請求項６】
前記駆動シャフトは、完全に剛性である、請求項１に記載のタッカ。
【請求項７】
前記駆動シャフトは、前記トリガアセンブリに取付けられている場所では剛性であるが、前記駆動シャフトの遠位部は、可撓性でありかつ曲げることができる、請求項１に記載のタッカ。
【請求項８】
前記駆動シャフトは、完全に可撓性でありかつ曲げることができる、請求項１に記載のタッカ。
【請求項９】
前記関節付きアームは、ねじ山構造を備えた複数の回動リンクを備える、請求項１に記載のタッカ。
【請求項１０】
各々の前記回動リンクは、その両端にオス回動コネクタとメス回動コネクタとを備える、請求項９に記載のタッカ。
【請求項１１】
各々の前記回動リンクは、互いに取付けられる２つのハーフリンクから構築される、請求項９に記載のタッカ。
【請求項１２】
前記ねじ山構造は、完全に前記回動リンクの内周のまわりにある、請求項９に記載のタッカ。
【請求項１３】
前記ねじ山構造は、一部が前記回動リンクの内周のまわりにある、請求項９に記載のタッカ。
【請求項１４】
前記回動リンクは、金属射出成形（ＭＩＭ）によって作られる、請求項９に記載のタッカ。
【手続補正書】
【提出日】平成27年10月6日(2015.10.6)
【手続補正１】
【補正対象書類名】特許請求の範囲
【補正対象項目名】全文
【補正方法】変更
【補正の内容】
【特許請求の範囲】
【請求項１】
組織に穿刺するための鋭い遠位端を含む第１の穿刺要素と、
組織に穿刺するための鋭い遠位端を含む第２の穿刺要素とを備え、前記第１および第２の穿刺要素の遠位端は間隙によって互いに間隔が空けられた、縫合アセンブリであって、
前記第１および第２の穿刺要素のうち少なくとも一方において遠位方向および近位方向に摺動するように配置されるスペーサを備え、前記スペーサは、前記第１および第２の穿刺要素の一方を中心に回動するように配置され、前記スペーサは、前記第１および第２の穿刺要素の他方に対してスナップ接続する接続部を含むことを特徴とする、縫合アセンブリ。
【請求項２】
前記スペーサは、前記第１および第２の穿刺要素の両方において遠位方向および近位方向に摺動するように構成される、請求項１に記載の縫合アセンブリ。
【請求項３】
前記スペーサには、前記第１および第２の穿刺要素の一方が通過する第１の開口と、前記第１および第２の穿刺要素の他方が通過する第２の開口とが形成される、請求項２に記載の縫合アセンブリ。
【請求項４】
前記第１の開口は閉じられた外郭を有する、請求項３に記載の縫合アセンブリ。
【請求項５】
前記第２の開口は閉じられた外郭を有する、請求項３に記載の縫合アセンブリ。
【請求項６】
前記第２の開口の外郭は完全には閉じられていない、請求項３に記載の縫合アセンブリ。
【請求項７】
前記スペーサは、径方向に突出するフランジを含む、請求項１に記載の縫合アセンブリ。
【請求項８】
前記スペーサは、前記第１および第２の穿刺要素の少なくとも一方の遠位端を保護するための遠位方向に突出する保護部を含む、請求項１に記載の縫合アセンブリ。
【請求項９】
前記スペーサを近位位置から遠位位置へ向かわせる付勢装置をさらに備える、請求項１に記載の縫合アセンブリ。
【請求項１０】
前記第１の穿刺要素の一部に沿って配置される縫合糸をさらに備え、前記縫合糸は、前記第１の穿刺要素の遠位端において掴まれるように配置され、縫合アセンブリはさらに、前記第２の穿刺要素の遠位端に位置決めされる縫合掴み部を備える、請求項１に記載の縫合アセンブリ。
【手続補正２】
【補正対象書類名】図面
【補正対象項目名】図３
【補正方法】変更
【補正の内容】
【図３】
2015500678.tif 000001
【手続補正３】
【補正対象書類名】図面
【補正対象項目名】図４
【補正方法】変更
【補正の内容】
【図４】
2015500678.tif 000002
【手続補正４】
【補正対象書類名】図面
【補正対象項目名】図５
【補正方法】変更
【補正の内容】
【図５】
2015500678.tif 000003
【手続補正５】
【補正対象書類名】図面
【補正対象項目名】図６
【補正方法】変更
【補正の内容】
【図６】
2015500678.tif 000004
【手続補正６】
【補正対象書類名】図面
【補正対象項目名】図７
【補正方法】変更
【補正の内容】
【図７】
2015500678.tif 000005
【手続補正７】
【補正対象書類名】図面
【補正対象項目名】図８
【補正方法】変更
【補正の内容】
【図８】
2015500678.tif 000006
【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
円形断面を有するルーメンをそれ自体の中に画定する細長いボディを備えるエラストマ性材料で作られるカテーテルと、
近位端と、遠位端と、前記カテーテルの前記ルーメン内にあるスタイレットの長さの少なくとも大部分にわたって少なくとも３つの面の外側表面を画定する非円形断面とを有する細長いスタイレットボディを備えるスタイレットと、の組み合わせ。
【請求項２】
前記スタイレットの外側表面の少なくとも１つの面が凹形である、請求項１に記載の組み合わせ。
【請求項３】
前記スタイレットの外側表面の少なくとも１つの面が凸形である、請求項１に記載の組み合わせ。
【請求項４】
前記スタイレットの外側表面の少なくとも２つの直接に隣接する面がそれらの間に丸みのある角表面を画定する、請求項１に記載の組み合わせ。
【請求項５】
前記スタイレットの外側表面の少なくとも１つの面が凹形であり、前記スタイレットの外側表面の少なくとも２つの直接に隣接する面がそれらの間に丸みのある角表面を画定する、請求項１に記載の組み合わせ。
【請求項６】
前記スタイレットの外側表面の少なくとも１つの面が凸形であり、前記スタイレットの外側表面の少なくとも２つの直接に隣接する面がそれらの間に丸みのある角表面を画定する、請求項１に記載の組み合わせ。
【請求項７】
前記スタイレットの外側表面が、（ａ）３０ミクロンを超える最大プロフィールピーク高さと、（ｂ）５ミクロンを超える粗さ平均と、（ｃ）８ミクロンを超える二乗平均平方根粗さとのうちの少なくとも１つを特徴とする、請求項１に記載の組み合わせ。
【請求項８】
前記スタイレットを前記カテーテルの前記ルーメンから取り外すときの力が３．６Ｎ（０．８ｌｂｆ）未満であることを特徴とする、請求項１に記載の組み合わせ。
【請求項９】
前記スタイレットが前記カテーテルルーメンの外側にある円形断面を有する近位側部分をさらに備える、請求項１に記載の組み合わせ。
【請求項１０】
円形断面を有するルーメンをそれ自体の中に画定するエラストマ性材料で作られるカテーテルから剛性材料で作られるスタイレットを取り外す方法であって、前記スタイレットが、近位端と、遠位端と、前記カテーテルの前記ルーメン内にあるその長さの少なくとも大部分にわたって少なくとも３つの面の外側表面を画定する非円形断面とを有する細長いスタイレットボディを備え、前記方法が、
前記ルーメン内に前記スタイレットを装荷された前記カテーテルを誘導するステップと、
前記カテーテルから前記スタイレットを取り外すステップとを含む、方法。
【請求項１１】
前記スタイレットの外側表面が、（ａ）３０ミクロンを超える最大プロフィールピーク高さと、（ｂ）５ミクロンを超える粗さ平均と、（ｃ）８ミクロンを超える二乗平均平方根粗さとのうちの少なくとも１つを特徴とする、請求項１０に記載の方法。
【請求項１２】
前記スタイレットを取り外すステップが、前記カテーテルから前記ルーメンを取り外すために３．６Ｎ（０．８ｌｂｆ）未満の力を前記ルーメンに加えることを特徴とする、請求項１０に記載の方法。
【請求項１３】
剛性材料からスタイレットを製造する方法であって、近位端と、遠位端と、その長さの少なくとも一部分にわたって少なくとも３つの面の外側表面を画定する非円形断面とを有する細長いスタイレットボディを前記スタイレットに提供するステップを含む、方法。
【請求項１４】
前記スタイレットの外側表面に少なくとも１つの凹形の面を提供するステップをさらに含む、請求項１３に記載の方法。
【請求項１５】
前記スタイレットの外側表面に少なくとも１つの凸形の面を提供するステップをさらに含む、請求項１３に記載の方法。
【請求項１６】
前記スタイレットの外側表面に、丸みのある角表面を間に画定する少なくとも２つの直接に隣接する面を提供するステップをさらに含む、請求項１３に記載の方法。
【請求項１７】
前記スタイレットの外側表面に、少なくとも１つの凹形の面と、丸みのある角表面を間に画定する前記スタイレットの外側表面の少なくとも２つの直接に隣接する面とを提供するステップをさらに含む、請求項１３に記載の方法。
【請求項１８】
前記スタイレットの外側表面に、少なくとも１つの凸形の面と、丸みのある角表面を間に画定する前記スタイレットの外側表面の少なくとも２つの直接に隣接する面とを提供するステップをさらに含む、請求項１３に記載の方法。
【請求項１９】
（ａ）３０ミクロンを超える最大プロフィールピーク高さと、（ｂ）５ミクロンを超える粗さ平均と、（ｃ）８ミクロンを超える二乗平均平方根粗さとのうちの少なくとも１つを特徴とする前記スタイレットの外側表面を提供するステップをさらに含む、請求項１３に記載の方法。
【請求項２０】
前記スタイレットに円形断面を有する近位側部分を提供するステップをさらに含む、請求項１３に記載の方法。
【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
アブレーション計画システムにおいて、
アブレーション処置を計画するために入力の選択を可能にするユーザインタフェースであって、前記ユーザインタフェースが、アブレーション体積をサイズ設定するようにアブレーションプローブの選択並びにアブレーションパワー、持続時間又は選択されたプローブに適用可能なパラメータの１つ又は複数の組み合わせを前記入力に組み込み、前記ユーザインタフェースが、患者の内部画像をレンダリングするディスプレイを含み、前記ディスプレイが、前記内部画像上の異なる入口点に対する前記アブレーション体積の視覚化を可能にする、前記ユーザインタフェースと、
前記入力を受け取るように前記ユーザインタフェースに結合され、付随する損傷が減少され、カバー領域が最大化され、重要な構造が計画された目標体積において避けられるように、空間的アブレーション位置及びアブレーションに対する時間的情報を含む最適化された治療計画を出力する最適化エンジンと、
を有するシステム。
【請求項２】
前記最適化エンジンが、入力のセットに基づいてコストを計算し、前記コストが、出力のセットを決定するように最小化される、請求項１に記載のシステム。
【請求項３】
前記最適化エンジンが、不所望な効果に対するコストを不利にするようにペナルティ関数を含む、請求項１に記載のシステム。
【請求項４】
前記入力が、アブレーションプローブのタイプ、アブレーションプローブの数、１つ又は複数の入口点の位置、治療計画においてカバーされるべき計画された目標体積、エラーのマージン、アブレーションカバー範囲、付随する損傷、除外されるべき領域、アブレーションパワー及びアブレーション時間の１つ又は複数を含む、請求項１に記載のシステム。
【請求項５】
前記出力が、アブレーションプローブのタイプ及び数、入口点の位置、アブレーション中心に対する位置、必要とされるアブレーションの最小数、必要とされる最小アブレーションパワー又は時間、予測されるアブレーション計量、付随する損傷、切除されていない計画された目標体積領域、及び重要な構造に対する損傷を含む、請求項１に記載のシステム。
【請求項６】
前記システムが、アブレーションプローブ又はプローブのセットに関する情報を記憶するデータベースを有し、前記情報が、前記入力において使用されるべき前記アブレーションプローブ又はプローブのセットを選択するように前記ユーザインタフェースにより取り出し可能である、請求項１に記載のシステム。
【請求項７】
前記アブレーションプローブが、マイクロ波アブレーションプローブを含み、前記情報が、複数のアブレーション形状に対するパワー及び時間データを含む、請求項６に記載のシステム。
【請求項８】
前記複数のアブレーション形状が、楕円及び／又は球を含む、請求項７に記載のシステム。
【請求項９】
アブレーション計画システムにおいて、
アブレーション処置を計画するために入力の選択を可能にするユーザインタフェースであって、前記ユーザインタフェースが、アブレーション体積をサイズ設定するようにアブレーション持続時間を前記入力に組み込み、前記ユーザインタフェースが、患者の内部画像をレンダリングするディスプレイを含み、前記ディスプレイが、前記内部画像上で異なる入口点に対する前記アブレーション体積の視覚化を可能にし、前記ディスプレイが、患者の内部画像をレンダリングし、ユーザが内部画像及び前記内部画像のビューを選択することを可能にするように選択制御を提供する、前記ユーザインタフェースと、
前記内部画像並びにパワー及び時間特性を前記アブレーション体積のサイズ及び形状に関連付けることにより所定の計画された目標体積に対して前記アブレーション体積に対するサイズ及び形状を決定するのを援助する前記アブレーションプローブに関する情報を記憶するデータベースと、
前記入力を受け取るように前記ユーザインタフェースに結合され、付随する損傷が減少され、カバー領域が最大化され、重要な構造が計画された目標体積において避けられるように、空間的アブレーション位置及び最小限必要とされるアブレーション持続時間に対する時間的情報を含む最適化された治療計画を出力する最適化エンジンと、
を有するシステム。
【請求項１０】
アブレーション処置を計画する方法において、
ユーザインタフェースのディスプレイ上に患者の内部画像を表示するステップと、
前記ユーザインタフェースを使用してアブレーション処置を実行するアブレーションプローブ又はプローブのセットを選択するステップと、
前記内部画像上で前記アブレーションプローブ又はプローブのセットに対する入口の点又は複数の点を選択するステップと、
選択されたアブレーションプローブ又はプローブのセット、選択された入口の点又は複数の点、アブレーション体積のサイズ及び形状を決定する時間及びパワー情報を含む入力のセットに関する情報を最適化エンジンに提供するステップと、
付随する損傷を減少すること、カバー領域を最大化すること及び計画された目標体積において重要な構造を避けることに基づいて最適化された治療計画を前記最適化エンジンから出力を提供するステップと、
を有する方法。
【請求項１１】
前記出力を提供するステップが、前記入力のセットに基づいてコストを最小化することを含む、請求項１０に記載の方法。
【請求項１２】
不所望な効果に対するコストを不利にするようにペナルティ関数を計算するステップを有する、請求項１１に記載の方法。
【請求項１３】
前記入力のセットが、アブレーションプローブのタイプ、アブレーションプローブの数、１つ又は複数の入口点の位置、エラーのマージン、アブレーションカバー範囲、付随する損傷、除外されるべき領域、アブレーションパワー及びアブレーション時間の１つ又は複数を含む、請求項１１に記載の方法。
【請求項１４】
前記最適化された治療計画が、アブレーションプローブのタイプ及び数、入口点の位置、アブレーション中心に対する位置、必要とされるアブレーションの最小数、必要とされる最小アブレーションパワー又は時間、アブレーション計量、付随する損傷、切除されていない計画された目標体積領域、及び重要な構造に対する損傷を含む、請求項１０に記載の方法。
【請求項１５】
前記アブレーションプローブが、マイクロ波アブレーションプローブを含み、前記情報が、複数のアブレーション形状に対するパワー及び時間データを含む、請求項１０に記載の方法。
【手続補正書】
【提出日】平成27年10月1日(2015.10.1)
【手続補正１】
【補正対象書類名】特許請求の範囲
【補正対象項目名】全文
【補正方法】変更
【補正の内容】
【特許請求の範囲】
【請求項１】
眼で架橋反応を発生させるシステムであり、
前記眼に架橋を引き起こさせるために、前記眼に適用された架橋剤を活性化するように構成された架橋システムであって、前記架橋システムが、前記眼に光活性化光を適用するように構成された光源を含む、架橋システムと、
前記架橋剤の活性化に応じて、前記眼の少なくとも一部の生物力学的強度をモニタするように構成されたフィードバックシステムと
を備えるシステムであって、
前記フィードバックシステムが、
レーザ光を前記眼に適用するように構成されたレーザを備える摂動システムであって、前記レーザ光が、力に応じて変形が引き起こされる前記眼に、前記力を適用するように構成される、摂動システムと、
前記眼への前記力の効果を決定する評価システムであって、前記力の効果が前記眼の少なくとも一部の前記生物力学的強度の指標を提供する、評価システムと
を備える、システム。
【請求項２】
評価システムが、光学干渉断層撮影システムを備える、請求項１に記載のシステム。
【請求項３】
前記評価システムが、前記力によって引き起こされる少なくとも一つの変形の量又は前記力によって引き起こされる前記変形からの回復率を測定することによって、前記力の効果を決定するように構成される、請求項１又は２に記載のシステム。
【請求項４】
前記架橋システムに通信可能に結合された制御装置を更に含み、前記制御装置が、前記生物力学的強度の指標を処理し、前記架橋剤の活性化を制御する前記架橋システムに対して一つ以上の信号を提供するように構成される、請求項１〜３のいずれか１項に記載のシステム。
【請求項５】
前記制御装置が、決定された前記生物力学的強度の指標に基づいて、前記架橋剤の活性化を調節するように構成され、前記一つ以上の信号が、前記光活性化光のパワー、前記光活性化光の強度パターン又は前記光活性化光の期間の少なくとも一つを調節するように構成される、請求項４に記載のシステム。
【請求項６】
前記評価システムが、標的位置で前記力の効果を決定するように構成され、前記レーザが、レーザ光を前記標的位置に、又は前記標的位置に隣接して適用するように構成される、請求項１〜５のいずれか１項に記載のシステム。
【請求項７】
前記評価システムが、前記レーザによって適用される光の単一のパルスに応じて、前記生物力学的強度の指標を決定するように構成される、請求項１〜６のいずれか１項に記載のシステム。
【請求項８】
前記評価システムが、前記レーザによって適用される複数のパルスに応じて、前記生物力学的強度の指標を決定するように構成され、前記レーザが、定在又は伝搬音波を構築するために、前記眼に同調された律動的な複数のパルスを提供するように構成される、請求項１〜７のいずれか１項に記載のシステム。
【請求項９】
前記フィードバックシステムが、前記生物力学的強度の三次元モデルを決定するように構成される、請求項１〜８のいずれか１項に記載のシステム。
【請求項１０】
前記フィードバックシステムが、複数の軸深さで複数の走査を決定し、断面断層撮影を作成するために複数の走査を組み合せるように構成される、請求項１〜９のいずれか１項に記載のシステム。
【手続補正書】
【提出日】平成27年10月1日(2015.10.1)
【手続補正１】
【補正対象書類名】特許請求の範囲
【補正対象項目名】全文
【補正方法】変更
【補正の内容】
【特許請求の範囲】
【請求項１】
シェイク容器であって、
閉じられた底部を有する容器と、
当該容器に取り外し可能に接続された蓋と、
一端において当該蓋に着脱自在に接続されるストローであって、反対側の端部に当該ストローの中空部へのアクセスを与える開口端部を備えるフランジを有し、当該蓋から容器の底部に近い領域にまで垂直に延びるが当該底部には接続されていないストローと、
を備え、
当該ストローに摺動可能に接続される攪拌器であって、当該攪拌器と当該ストローの間の相互関係は、当該攪拌器が当該ストローの上部から当該フランジにまで長手方向に移動可能であるようにされていることを特徴とするシェイク容器。
【請求項２】
当該蓋は、当該蓋における第一の開口を形成する跳上げストロー及び当該蓋における第二の開口を覆う蓋カバーをさらに備えることを特徴とする請求項１に記載のシェイク容器。
【請求項３】
前記ストローは、当該跳上げストローが開位置にあるときに、当該フランジの開口端から当該跳上げストローの上部にまで長手方向に延びる内側ストローチャネルが形成されるように、当該跳上げストローに接続されていることを特徴とする請求項２に記載のシェイク容器。
【請求項４】
シェイク容器であって、
閉じられた底部を有する容器と、
当該容器に取り外し可能に接続された蓋であって、当該蓋における第一の開口を形成する跳上げストロー及び当該蓋における第二の開口を覆う蓋カバーを有する蓋と、
一端において当該蓋に着脱自在に接続されるストローであって、反対側の端部に当該ストローの中空部へのアクセスを与える開口端部を備えるフランジを有し、当該蓋から容器の底部に近い領域にまで垂直に延びるが当該底部には接続されずに、当該跳上げストローが開位置にあるときに、当該フランジの開口端から当該跳上げストローの上部にまで長手方向に延びる内側ストローチャネルが形成されるように、当該跳上げストローにさらに接続されるストローと、を備え、
当該ストローに摺動可能に接続される攪拌器であって、当該攪拌器と当該ストローの間の相互関係は、当該攪拌器が当該ストローの上部から当該フランジにまで長手方向に移動可能であるようにされていることを特徴とするシェイク容器。
【請求項５】
当該攪拌器は、砂時計の形をしていることを特徴とする請求項１又は４に記載のシェイク容器。
【請求項６】
当該攪拌器は、以下の赤道直径が極直径よりも大きい楕円形状、三角形状、逆砂時計形、実質的に長方形の形、又は連続ループ形の内の１つを有していることを特徴とする請求項１又は４に記載のシェイク容器。
【請求項７】
当該蓋カバーは、当該蓋における第二の開口に挿入するための一気飲みキャップを含んでいることを特徴とする請求項２又は４に記載のシェイク容器。
【請求項８】
シェイク容器であって、
閉じられた底部を有する容器と、
当該容器に取り外し可能に接続された蓋と、
一端において当該蓋に着脱自在に接続されるストローであって、反対側の端部に当該ストローの中空部へのアクセスを与える開口端部を備えるフランジを有し、当該蓋から容器の底部に近い領域にまで垂直に延びるが当該底部には接続されていないストローと、
当該ストローに接続された攪拌器であって、当該攪拌器と当該ストローの間の相互関係は、当該攪拌器が当該ストローの恒久的な位置に固定されている攪拌器と、を備えることを特徴とするシェイク容器。